(57)【要約】【課題】  移動した場所で垢擦りを行うことができる垢擦り設備搭載車を提供すること。【解決手段】自動車と、該自動車に設けられ、後部に入口部を有するコンテナ状の垢擦り室と、前記垢擦り室内部に設けられた少なくともサウナ又は浴槽のいずれか一方と、前記垢擦り室の内部で使用する水を供給する水供給手段と、前記垢擦り室の内部に設けられた垢擦り台とで構成され、前記垢擦り室の後部に、人を載せて上下移動可能なリフトを備えることを特徴とする。【選択図】  図１
2018012449.tif 000002
【特許請求の範囲】
【請求項１】
自動車と、該自動車に設けられ、後部に入口部を有するコンテナ状の垢擦り室と、前記垢擦り室内部に設けられた少なくともサウナ又は浴槽のいずれか一方と、前記垢擦り室の内部で使用する水を供給する水供給手段と、前記垢擦り室の内部に設けられた垢擦り台とで構成され、前記垢擦り室の後部に、人を載せて上下移動可能なリフトを備えることを特徴とする垢擦り設備搭載車。
【請求項２】
前記水供給手段は、水を貯水可能なタンクであることを特徴とする請求項１に記載の垢擦り設備搭載車。
【請求項３】
前記タンクは、垢擦り室の外部に設けられていることを特徴とする請求項２に記載の垢擦り設備搭載車。
【請求項４】
前記水供給手段は、外部水源を接続可能な水源接続部を有し、この外部水源から供給される水を垢擦り室内部で使用できる水供給装置であることを特徴とする請求項１に記載の垢擦り設備搭載車。
【請求項５】
前記垢擦り室の内部には、水を沸かすことができる湯沸し器を更に備えることを特徴とする請求項１乃至請求項４のいずれかに記載の垢擦り設備搭載車。
【請求項６】
前記垢擦り室内で使用された水の不純物を除去し、垢擦り室の外部へ排水する排水装置を更に備えることを特徴とする請求項１乃至請求項５のいずれかに記載の垢擦り設備搭載車。
【請求項７】
外部の電源に接続し、外部から電気の供給を受けることができる電源装置を更に備えることを特徴とする請求項１乃至請求項６のいずれかに記載の垢擦り設備搭載車。
【発明の詳細な説明】
【技術分野】
【０００１】
本発明は任意に移動して、移動した場所で垢擦りをすることができる垢擦り設備搭載車に関する。
【背景技術】
【０００２】
従来の垢擦り設備は、建物等の移動不可能な場所に設置されており、客がその設備まで訪問し垢擦りを受けていた。
しかしながら、このような垢擦り設備では、様々な場所で垢擦りを施術することは不可能だった。
【０００３】
また、その設備のある建物等に客が訪問しなければならず、移動が難しい者には垢擦りを受けることができないという欠点があった。
車載式の入浴装置等は知られているが（特許文献１）、このような入浴装置には垢擦りを行うための設備が設けられていなかった。
【先行技術文献】
【特許文献】
【０００４】
【特許文献１】特開２００３−３０５１００号公報
【発明の概要】
【発明が解決しようとする課題】
【０００５】
本発明は以上のような従来の欠点に鑑み、移動した場所で垢擦りを行うことができる垢擦り設備搭載車を提供することを目的としている。
【課題を解決するための手段】
【０００６】
上記目的を達成するために、本発明の垢擦り設備搭載車は、自動車と、該自動車に設けられ、後部に入口部を有するコンテナ状の垢擦り室と、前記垢擦り室内部に設けられた少なくともサウナ又は浴槽のいずれか一方と、前記垢擦り室の内部で使用する水を供給する水供給手段と、前記垢擦り室の内部に設けられた垢擦り台とで構成され、前記垢擦り室の後部に、人を載せて上下移動可能なリフトを備えることを特徴とする。
【発明の効果】
【０００７】
以上の説明から明らかなように、本発明にあっては次に列挙する効果が得られる。
（１）請求項１に記載の発明においては、自動車で移動可能であるので、客の自宅等に訪問して垢擦りをすることができる。
（２）垢擦り室の入口部には人を載せて上下移動可能なリフトが設けられているため、車いす等であっても容易に垢擦り室の内部に入ることができる。
（３）請求項２に記載の発明も前記（１）、（２）と同様な効果が得られるとともに、水道等から水の供給を受けられない場合であっても垢擦りをすることができる。
（４）請求項３に記載の発明も前記（１）〜（３）と同様な効果が得られるとともに、垢擦り室内部の空間を広く使用することができる。
（５）請求項４に記載の発明も前記（１）〜（４）と同様な効果が得られるとともに、外部から水の供給を受けることができるので、潤沢に水を使用して垢擦りをすることができる。
（６）請求項５に記載の発明も前記（１）〜（５）と同様な効果が得られるとともに、湯沸し器により、いつでも適温のお湯を用いて垢擦りをすることができる。
（７）請求項６に記載の発明も前記（１）〜（６）と同様な効果が得られるとともに、クリーンな水を排水することができる。
（８）請求項７に記載の発明も前記（１）〜（７）と同様な効果が得られるとともに、外部から電気の供給を受けることができるので、発電機や大容量のバッテリーを搭載しなくても、電気式のサウナや電気式の湯沸し器等を使用することができる。
【図面の簡単な説明】
【０００８】
図１乃至図５は本発明の第１の実施形態を示す説明図である。
図６乃至図９は本発明の第２の実施形態示す説明図である。
【図１】第１の実施形態の垢擦り設備搭載車の概要側面図。
【図２】垢擦り設備搭載車の概要平面図。
【図３】垢擦り室内部に入る状態の説明図。
【図４】電源装置を示す説明図。
【図５】水供給手段を示す説明図。
【図６】第２の実施形態の垢擦り設備搭載車の概要側面図。
【図７】垢擦り設備搭載車の概要平面図。
【図８】電源装置を示す説明図。
【図９】水供給手段を示す説明図。
【発明を実施するための形態】
【０００９】
以下、図面に示す本発明を実施するための形態により、本発明を詳細に説明する。
図１乃至図５に示す本発明を実施するための第１の形態において、１は移動して垢擦りを行うことができる垢擦り設備搭載車である。
【００１０】
この垢擦り設備搭載車１は、荷台２を有する自動車３と、該自動車３の荷台２に設けられ、後部に入口部４を有するコンテナ状の垢擦り室５と、該垢擦り室５後部の入口部４付近に設けられ、人を載せて上下移動可能なリフト６と、前記垢擦り室５の内部に設けられたサウナ７と、垢擦り室５内部で使用する水を供給する水供給手段８と、前記垢擦り室５の内部に設けられた垢擦り台９とで構成されている。
【００１１】
なお、この「水」には冷水だけでなく「お湯」も含むものではあるが、本実施の形態においては、便宜上、「水」（冷水）と「お湯」という表現を使用して説明する。
前記荷台２有する自動車３は、本実施の形態においては、トラック３を用いており、このトラック３の荷台２に垢擦り室５を積載している。
【００１２】
このトラック３には、図１に示すように、その外部に垢擦り室５内部で使用する水を供給する水供給手段８として、予め水を貯水しておくことができるタンク８と、垢擦り室内部で使用する機器に電気を供給する電源装置１０としてバッテリー１０が設けられている。
【００１３】
前記垢擦り室５には、その入口部４に人を載せて上下移動可能なリフト６が設けられている。このリフト６は本実施の形態においては、公知の油圧シリンダー（図示せず）により昇降する油圧リフトであり、地面から垢擦り室５の底面と略面一の位置まで上昇可能なものである。このリフト６は油圧リフトだけでなく、公知のどのようなリフト（機械式等）を用いてもよい。
【００１４】
また、本実施の形態においては、このリフト６は、垢擦り室５の底面と略面一の位置まで上昇した後に回動し、垢擦り室の入口部４を塞ぐ扉体として用いられるものを使用している。
【００１５】
垢擦り室５の内部には、図２等で示すように、前記タンク８に接続され、垢擦り室５の内部で供給された水を沸かし、シャワー等（図示せず）にお湯を供給する電気式の湯沸し器１１と、電気式のサウナ７と、垢擦りを行う垢擦り台９が設けられている。なお、お湯の温度は湯沸し器１１自体で調整するものであってもよいし、シャワーの混合栓（図示せず）等で調整してもよい。
【００１６】
前記水供給手段８としてのタンク８は、図５で示すように、本実施の形態においては、ポンプ１２と接続されており、このポンプ１２によってタンク８内の水を湯沸し器１１に圧送する。
【００１７】
湯沸し器１１は、前記タンク８と接続されており、タンク８から供給された水を沸かし、シャワー等にお湯を提供する。本実施の形態においては、この湯沸し器１１は、電気式の物を用いており、電源としては、前記バッテリー１０の電気を用いている。また、前記ポンプ１２もバッテリー１０から電気の供給を受けて稼動する。
【００１８】
前記サウナ７は、本実施の形態においては、電気式のサウナ７で、１人用のものが用いられている。この電気式サウナ７の電源も前記バッテリー１０から供給される。
【００１９】
垢擦り台９は、本実施の形態においては、ベッド状の台で、垢擦りを受ける者がこの垢擦り台９に横になり、垢擦りをうける。垢擦りを受けた後にはシャワー等で垢等を流すため、この垢擦り台９は防水カバー等を備えることが望ましい。
【００２０】
[発明を実施するための異なる形態]
次に、図６乃至図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図６乃至図９に示す本発明を実施するための第２の形態において、前記本発明を実施するための第１の形態と主に異なる点は、外部電源１３から電気の供給を受けることができる電源装置１０Ａを用いるとともに、水供給手段８Ａとして、外部水源１４を接続可能な外部水源接続部１５を有し、この外部水源１４から供給される水を垢擦り室５内部で使用できる水供給装置８Ａを備え、サウナ７の代わりに浴槽１６を設置し、垢擦り室５内部で使用した水の不純物をろ過等の処理で除去し、垢擦り室の外部へ排水する排水装置１７を設けた点で、このような垢擦り設備搭載車１Ａにしても、前記本発明を実施するための第１の形態と同様な作用効果が得られる。
【００２２】
前記電源装置１３は、図７に示すように外部電源１３から電気の供給を受け、この電気を湯沸し器１１、水供給装置８Ａのポンプ１２等に供給する。
【００２３】
前記水供給装置８Ａは、本実施の形態においては、外部の水道等の外部水源１４及び外部水源接続部１５で構成されており、前記外部水源１４は水供給路を介して外部水源接続部１５に接続され、外部水源１４から供給を受けた水又はお湯を湯沸し器１１や浴槽１６に供給している。なお、この外部水源１４の水圧のみで十分に湯沸し器１１等に水を供給することができる場合には、必ずしもポンプ１２を用いる必要はない。
【００２４】
なお、本発明の実施形態においては、荷台を有する自動車の荷台に垢擦り室を積載したものについて説明したが、トレーラーやキャンピングカーの様に、自動車に垢擦り室を牽引状態で設けてもよい。
【００２５】
また、垢擦り室内部の機器に使用するバッテリーや電源装置を有するものについて説明したが、垢擦り室内部で電気を使用する機器を使用しない場合（例えば、ガス式の湯沸し器のみを用いる場合、外部からお湯の提供を受けられる場合、電気以外の熱源で可動するサウナを用いる場合等）には、これらの電源装置等は用いなくてもよい。
【００２６】
さらに、本発明の実施形態においては、タンク又は水供給装置のいずれかを用いる水供給手段について説明したが、これらを併用する水供給手段としてもよい。
【産業上の利用可能性】
【００２７】
本発明は垢擦り設備搭載車を製造する産業で利用される。
【符号の説明】
【００２８】
１、１Ａ：垢擦り設備搭載車、      ２：荷台、
３：自動車、                      ４：入口部、
５：垢擦り室、                    ６：リフト、
７：サウナ、                      ８、８Ａ：水供給手段、
９：垢擦り台、                    １０、１０Ａ：電源装置、
１１：湯沸し器、                  １２：ポンプ、
１３：外部電源、                  １４：外部水源、
１５：外部水源接続部、            １６：浴槽、
１７：排水装置。
【図１】
2018012449.tif 000003
【図２】
2018012449.tif 000004
【図３】
2018012449.tif 000005
【図４】
2018012449.tif 000006
【図５】
2018012449.tif 000007
【図６】
2018012449.tif 000008
【図７】
2018012449.tif 000009
【図８】
2018012449.tif 000010
【図９】
2018012449.tif 000011